(57)【要約】【課題】静磁場として機能する永久磁石と、動磁場として機能する電機子コイルを有する小型モーターを磁気治療器として利用することができる小型モーターを提供することを目的とする。【解決手段】回転軸１１と、この回転軸１１の外周囲のマグネットホルダー２４に固定的に設けた永久磁石１３と、この永久磁石１３の外周囲に回転自在に設けた電機子コイル１４と、この電機子コイル１４の外周囲に位置して前記マグネットホルダー２４に設けたカバー２３と、前記電機子コイル１４に整流子２０とブラシ２１を介して直流電源を供給する直流電源２９とを具備した磁気治療用モーターであって、前記カバー２３は、非磁性体からなることを特徴とする。【選択図】図１
2018019747.tif 000002
【特許請求の範囲】
【請求項１】
回転軸と、この回転軸の外周囲のマグネットホルダーに固定的に設けた永久磁石と、この永久磁石の外周囲に回転自在に設けた電機子コイルと、この電機子コイルの外周囲に位置して前記マグネットホルダーに設けたカバーと、前記電機子コイルに整流子とブラシを介して直流電源を供給する直流電源とを具備した磁気治療用モーターであって、前記カバーは、非磁性体からなることを特徴とする磁気治療用モーター。
【請求項２】
前記カバーは、プラスチックからなることを特徴とする請求項１記載の磁気治療用モーター。
【請求項３】
前記カバーは、前記プラスチックからなるマグネットホルダーと一体成型してなる請求項１又は２記載の磁気治療用モーター。
【請求項４】
前記カバーは、非磁性の導電性金属からなることを特徴とする請求項１記載の磁気治療用モーター。
【請求項５】
前記回転軸に、マッサージ器としての振動発生用の偏心ウェイトを連結してなることを特徴とする請求項１、２、３又は４記載の磁気治療用モーター。
【発明の詳細な説明】
【技術分野】
【０００１】
本発明は、直流モーターからの漏洩磁気を利用した磁気治療用モーターに関するものである。
【背景技術】
【０００２】
本発明者は、円筒型マイクロ振動モータをすでに提案した（特許文献１）。
この円筒型マイクロ振動モータ１０は、図５（ａ）（ｂ）に示すように、モーターハウジング１６と、このモーターハウジング１６を固着した合成樹脂の一体成型部材１７と、この一体成型部材１７に固定的に支持された永久磁石１３と、この永久磁石１３の外周囲で回転する電機子コイル１４と、この電機子コイル１４を回転する回転軸１１と、回転軸１１の端部に設けられた偏心ウェイト１２を主体として構成されている。また、１８は、軸受部、１９は、整流子ハブ、２０は、整流子である。
【０００３】
前記モーターハウジング１６は、外径４ｍｍ、厚み０．２ｍｍの大きさで、材質は、冷間圧延鋼板からなり、磁束を集中させるためのヨークとして機能している。また、前記永久磁石１３は、図５（ｂ）に示すように、Ｎ極１３ａとＳ極１３ｂが１８０度間隔で配置され、全体が円筒形をなしている。前記電機子コイル１４は、例えば、７２度の間隔で円弧状に配置された５極の構成となっている。
【０００４】
このように構成されたマイクロ振動用モーター１０は、図示しない電池からリード線を経て整流子ハブ１９と整流子２０を介して電機子コイル１４に電流が供給されると、永久磁石１３からモーターハウジング１６を通る磁界中にある電機子コイル１４が回転する。すると、回転軸１１に連結された偏心ウェイト１２により振動が発生して振動モータとして作動する。
【先行技術文献】
【特許文献】
【０００５】
【特許文献１】特許第４８１９２２５号公報
【発明の概要】
【発明が解決しようとする課題】
【０００６】
特許文献１に記載のマイクロ振動用モーター１０は、外径が４．０ｍｍと極めて小型であり、ページャ（呼び出し装置）、携帯電話、マッサージ器、目覚まし時計、腕時計、ゲームコントロール等の振動発生源としては、好適である。このモーターは、小型で、磁気を発生するものであるから、本発明者は、この小型のモーターを磁気治療器として有効利用することに思い至った。
しかし、このマイクロ振動用モーター１０は、効率的に回転させるために、前記モーターハウジング１６は、材質は、冷間圧延鋼板からなり、永久磁石１３の全周囲を包囲し、磁束を集中させるためのヨークとして機能しているので、大気中に漏洩する磁束は、極めて少ない。
したがって、この小型モーターは、磁気治療器としては、そのまま転用することができないという問題があった。
本発明は、静磁場として機能する永久磁石と、動磁場として機能する電機子コイルを有する小型モーターを磁気治療器として利用することができる小型モーターを提供することを目的とする。
【課題を解決するための手段】
【０００７】
本発明の磁気治療用モーターは、回転軸１１と、この回転軸１１の外周囲のマグネットホルダー２４に固定的に設けた永久磁石１３と、この永久磁石１３の外周囲に回転自在に設けた電機子コイル１４と、この電機子コイル１４の外周囲に位置して前記マグネットホルダー２４に設けたカバー２３と、前記電機子コイル１４に整流子２０とブラシ２１を介して直流電源を供給する直流電源２９とを具備した磁気治療用モーターであって、前記カバー２３は、非磁性体からなることを特徴とする。
【０００８】
前記カバー２３は、プラスチックからなることを特徴とする。
また、前記カバー２３は、前記マグネットホルダー２４と一体成型してなることを特徴とする。
さらに、前記カバー２３は、非磁性の導電性金属からなることを特徴とする。
【０００９】
前記回転軸１１に、振動発生用の偏心ウェイト１２を連結してなるものとすることもできる。
【発明の効果】
【００１０】
請求項１記載の発明によれば、本発明の磁気治療用モーターは、
回転軸と、この回転軸の外周囲のマグネットホルダーに固定的に設けた永久磁石と、この永久磁石の外周囲に回転自在に設けた電機子コイルと、この電機子コイルの外周囲に位置して前記マグネットホルダーに設けたカバーと、前記電機子コイルに整流子とブラシを介して直流電源を供給する直流電源とを具備した磁気治療用モーターであって、前記カバーは、非磁性体からなるので、外径が４．０ｍｍと極めて小型であり、ページャ（呼び出し装置）、携帯電話、マッサージ器、目覚まし時計、腕時計、ゲームコントロール等の振動発生源として使用されてきたマイクロモーターを磁気治療器として有効利用することができる。また、電機子コイルで発生する交番磁界が永久磁石による前記静磁束に影響して静磁束が強められたり、弱めたりする時間的に変化する動磁束となって大気に放出される。したがって、この動磁束が、血液中のイオンの流れを活発にして血液の流れをよくする。さらに、重量のある永久磁石を固定し、軽量の電機子コイルを回転するので、電池の消費量が少なく、長時間の使用が可能となる。
【００１１】
請求項２記載の発明によれば、前記カバーは、プラスチックからなるので、大気に放出される磁束量が多くなり、磁気治療用として好適である。
【００１２】
請求項３記載の発明によれば、前記カバーは、前記プラスチックからなるマグネットホルダーと一体成型したので、組み立て構成が容易になる。
【００１３】
請求項４記載の発明によれば、前記カバーは、非磁性の導電性金属からなるので、うず電流が生じて、磁束の変化をより複雑にすることができる。
【００１４】
請求項５記載の発明によれば、前記回転軸に、マッサージ器としての振動発生用の偏心ウェイトを連結したので、血液中のイオンの流れを活発にして血液の流れをよくするだけでなく、打撃によるマッサージ効果を付加することができる。
【図面の簡単な説明】
【００１５】
【図１】本発明の磁気治療用モーターの実施例１を示す断面図である。
【図２】本発明の磁気治療用モーターを首掛け型の磁気治療器として利用した例を示す正面図である。
【図３】本発明の磁気治療用モーターを患部への貼り付け型として利用した例を示す斜視図である。
【図４】本発明の磁気治療用モーターが静磁場として機能する永久磁石と、動磁場として機能する電機子コイルの機能を説明する説明図である。
【図５】従来の円筒型マイクロ振動モータの断面図である。
【発明を実施するための形態】
【００１６】
本発明は、回転軸１１と、この回転軸１１の外周囲のマグネットホルダー２４に固定的に設けた永久磁石１３と、この永久磁石１３の外周囲に回転自在に設けた電機子コイル１４と、この電機子コイル１４の外周囲に位置して前記マグネットホルダー２４に設けたカバー２３と、前記電機子コイル１４に整流子２０とブラシ２１を介して直流電源を供給する直流電源２９とを具備した磁気治療用モーターであって、前記カバー２３は、非磁性体からなることを特徴とする磁気治療用モーターである。
【００１７】
前記カバー２３は、プラスチックからなるものとすることができる。また、前記カバー２３は、前記プラスチックからなるマグネットホルダー２４と一体成型してなるものとすることができる。さらに、前記カバー２３は、非磁性の導電性金属からなるものとしてもよい。
【００１８】
前記回転軸１１に、振動発生用の偏心ウェイト１２を連結して、マッサージ器としての機能を持たせることもできる。
【実施例１】
【００１９】
本発明による磁気治療用モーターの実施例１を図１に基づき説明する。
１１は、直径０．６ｍｍ程度のステンレスなどからなる回転軸で、この回転軸１１は、マグネットホルダー２４の軸受部１８とブラシホルダー２２の軸受部１８とで回転自在に軸架されている。この回転軸１１には、整流子ハブ１９が固定的に取り付けられている。
前記マグネットホルダー２４は、プラスチックなどの非磁性体からなり、前記回転軸１１の外周にわずかな空隙１５を有し、また、このマグネットホルダー２４の空隙１５の外周の筒状部には、１８０度の間隔でＮ極１３ａとＳ極１３ｂの円筒状に形成された直径２．６ｍｍ程度の図５（ｂ）で示したものと同様の永久磁石１３が固定的に設けられている。この永久磁石１３の外周には、わずかな隙間をもって前記整流子ハブ１９に固着された電機子コイル１４が回転自在に配置されている。この電機子コイル１４も前記図５（ｂ）で示したものと同様、例えば７２度間隔で５極に構成されている。
【００２０】
前記整流子ハブ１９の他端面には、整流子２０が設けられ、前記回転軸１１の両端のライナー２５と２６で保持されている。この整流子２０には、前記ブラシホルダー２２の内側に設けられたブラシ２１が接触しつつ回転する構成となっている。
前記マグネットホルダー２４とブラシホルダー２２には、前記電機子コイル１４とわずかな間隙をもって円筒形のカバー２３が被せられている。このカバー２３は、前記永久磁石１３の静磁束と電機子コイル１４の通電時の動磁束が大気中に放出されるようにプラスチックの非磁性体からなり、直径が４．０ｍｍ程度とする。
前記ブラシホルダー２２の他端面からリード線２８が導出され、スイッチ３４を介して直流電源２９に接続されている。
【００２１】
以上のように構成された磁気治療用モーターは、図４に示すように、スイッチ３４が開いている状態では、電機子コイル１４に電流が流れないので、永久磁石１３からの静磁束３２が発生する。また、スイッチ３４を閉じ、電機子コイル１４に電流を流すと、動磁束３３が発生する。この電機子コイル１４の電流は、電機子コイル１４の回転により正逆反転して交番電流となるので、動磁束３３の方向も交番磁界となる。この電機子コイル１４で発生する交番磁界が前記静磁束３２に影響して静磁束３２が強められたり、弱めたりする時間的に変化する動磁束となって大気に放出される。
したがって、この動磁束が、血液中のイオンの流れを活発にして血液の流れをよくする。
【００２２】
図２は、本発明の２個の磁気治療用モーターを吊り紐２７に連結して、肩掛けとすることにより肩こり部分に磁気を与えて血行を促進し、こりを和らげるようにしたものである。
図３は、本発明の磁気治療用モーターを貼着シート３０に取り付け、こりのある患部に直接貼り付けてこりを和らげるようにしたものである。
【００２３】
前記実施例では、プラスチックからなるカバー２３とプラスチックからなるマグネットホルダー２４は、別体としたが、同一材料で一体成型加工するようにしてもよい。
前記実施例では、カバー２３は、プラスチックからなるものとしたが、磁束が通過するものであれば、銅、ニッケル、アルミニウム、ステンレススチール、セラミックスなどの非磁性金属であってもよい。このような非磁性金属とすることにより、うず電流が生じて、磁束の変化をより複雑にすることができる。
【００２４】
前記実施例では、非磁性体からなるカバー２３には、ヨークとしての機能を持たせないので、モーターとしてのトルクが減少することになるが、電機子コイル１４が回転し、磁場を変化させる機能を有するものであればよい。
前記実施例では、回転軸１１に偏心ウェイト１２を有しない構造としたが、非磁性体からなるカバー２３には、モーターとしてのトルクが減少することになるとしても、回転軸１１に設けた偏心ウェイト１２が回転して振動を発生する程度の機能を有する構成とすることにより、磁気治療に加えて振動によるこりを和らげるマッサージ器としての効果を付加することができる。
【００２５】
前記実施例では、回転軸１１の外径、カバ−２３の外径など、具体的数値で表したが、本発明は、これに限定されるものではなく、磁気治療用モーターとして機能する大きさであれば、これに限定されるものではない。ちなみに、家庭用磁気治療器としては、１２０〜１５０ミリテスラ程度の磁場であることが望ましい。
また、永久磁石１３は、１８０度の間隔で設け、電機子コイル１４は、７２度間隔の５極の例を示したが、この例に限られるものではなく、相互の位相角が自動回転する構成で、かつ、一定時間当たりの回転数が使用目的に合致するものであるものであれば、実施例に限定されるものではない。
【符号の説明】
【００２６】
１０…マイクロ振動用モーター、１１…回転軸、１２…偏心ウェイト、１３…永久磁石、１４…電機子コイル、１５…空隙、１６…モーターハウジング、１７…一体成型部材、１８…軸受部、１９…整流子ハブ、２０…整流子、２１…ブラシ、２２…ブラシホルダー、２３…カバー、２４…マグネットホルダー、２５…ライナー、２６…ライナー、２７…吊り紐、２８…リード線、２９…直流電源、３０…貼着シート、３１…電流、３２…静磁束、３３…動磁束、３４…スイッチ。
【図１】
2018019747.tif 000003
【図２】
2018019747.tif 000004
【図３】
2018019747.tif 000005
【図４】
2018019747.tif 000006
【図５】
2018019747.tif 000007